(57)【要約】【課題】  プチ嵌め殺し窓としての機能を備えた飾り棚における背板のメンテナンスや交換に当たって簡単に背板の取外し、再取付けができる。背板の取外し、再取付けができるにもかかわらず、飾り棚のような外観を損なわない。背板ががたつかないように取付けができ、組み立ても容易にできる。【解決手段】  板材１を角筒状に枠組みして構成した枠体２の内周面に段落部３を形成すると共に段落部３の後端を枠体２の後端まで至らせる。枠体２内に配置した透光性を有する背板４の前面端部を段落部３の段差面５に当接する。段落部３に段落部３の段落深さとほぼ同じ厚みの押え板６を着脱自在に取着する。押え板６の後端を枠体２の後端に位置させると共に押え板６の前端を背板４の後面に当接する。【選択図】        図１
2007089696.tif 000002
【特許請求の範囲】
【請求項１】
板材を角筒状に枠組みして構成した枠体の内周面に段落部を形成すると共に段落部の一端部を枠体の一端部まで至らせ、枠体内に配置した透光性を有する背板の前面端部を段落部の段差面に当接し、段落部に段落部の段落深さとほぼ同じ厚みの押え板を着脱自在に取着し、押え板の後端を枠体の後端に位置させると共に押え板の前端を背板の後面に当接して成ることを特徴とする飾り棚。
【請求項２】
背板の前面端部及び後面端部をそれぞれ背板の最端部程厚みが薄くなるようにそれぞれ傾斜面とし、段落部の段差面及び押え板の前端をそれぞれ上記背板の前面端部及び後面端部の傾斜面に対応した傾斜面として成ることを特徴とする請求項１記載の飾り棚。
【請求項３】
長方形状をした板材の内面に板材の長辺に沿って段落部を形成すると共に該板材の内面に板材の短辺と平行にＶカット溝部を３列設け、板材を各Ｖカット溝部を介して９０°折り曲げて角筒状に枠組みして枠体が形成してあることを特徴とする請求項１又は請求項２記載の飾り棚。
【発明の詳細な説明】
【技術分野】
【０００１】
本発明は、壁などに貫通して取付ける角筒状をした枠体に透光板を着脱自在に取付けた飾り棚に関するものである。
【背景技術】
【０００２】
従来から図８や図９に示すような、板材１’を角筒状に枠組みして構成した枠体２’内にガラスや透光性のプラスチック板等の透光性を有する背板４’を嵌め殺しで取付ける飾り棚が知られている。この飾り棚は間仕切り壁１５に設けた孔１６に装着されて、プチ嵌め殺し窓としての機能及び外観を持つ飾り棚として室内のアクセントとなるようにしてある。
【０００３】
上記図８に示す従来例にあっては、断面コ字状をした嵌め込み溝２０を形成した上下、左右の４枚の板材１’を用意し、この４枚の板材１’を角筒状に枠組みして枠体２’を形成する際に、上下、左右の板材１’に設けた嵌め込み溝２０にガラスや透光性のプラスチック板等の背板４’の上下左右の外端部を嵌め込むことで形成したものである。この従来例は、枠体２’の内面と背板４’とのなすコーナ部分に段差ができないので室内から間仕切り壁１５などの壁に取付けた枠体２’を見た際、内面が段差のないフラットな飾り棚として違和感がない外観となって見えるが、この従来例にあっては、ガラスや透光性のプラスチック板等の背板４’のメンテナンスや交換が必要となった場合、角筒状に枠組みした枠体２’を分解しない限り、背板４’を取外したり、取付けたりできず、簡単に背板４’を取外してメンテナンスしたり、交換したりすることができないという問題がある。また、強いて背板４’を取外してメンテナンスや交換をするには、間仕切壁１５の孔１６に嵌め込んで装着してある枠体２’を間仕切り壁１５から取外さない限り、背板４’の取外し、再度の取付けなどはできず、大掛かりな工事になってしまうという問題がある。また、部材の寸法誤差等を考慮して、背板４’の上下高さ、左右長さはそれぞれ上下の嵌め込み溝２０の溝底間の長さ、左右の嵌め込み溝の溝底間の長さよりも少し短く、また、背板４’の板厚が立面コ字状の嵌め込み溝２０の溝巾よりも僅かに小さいものが用いられるが、このため、立面コ字状の嵌め込み溝２０内に背板４’の端部を嵌め込んだ場合、背板４’ががたつくという問題がある。また、図８に示す従来例にあっては、上記のように、別体の４枚の板材１’を組み合わせて枠体２’を形成する際に、同時に嵌め込み溝２０に背板４’の上下左右の外端部を嵌め込まねばならないので、組み立てが面倒である。
【０００４】
一方、図９に示す従来例にあっては、枠体２’内に枠体２’とは別体の押縁材２１を着脱自在に木ねじ等で取付け、背板４’の外端部の両側にそれぞれ押縁材２１を当接することで背板４’の外端部を挟持しているもので、背板４’のメンテナンスや交換の際は、押縁材２１を取外すことで背板４’を取外してメンテナンスしたり、交換して再取付けすることができる。しかしながら、この従来例にあっては、背板４’の取付け状態で枠体２’の内面と背板４’とのなすコーナ部分に押縁材２１による段差ができ、枠体２’と押縁材２１との一体感がなく、枠体２’の内面に段差が見えて間仕切り壁１５に形成した飾り棚のような外観にならないという問題がある。また、この図９に示す従来例にあっても、背板４’の上下高さ、左右長さはそれぞれ枠体２’内の上下長、左右長さよりも少し短いものを使用するので、背板４’ががたつくという問題がある。更に、上下、左右の４枚の板材１’を用いて枠体２’を形成し、その後、背板４’を枠体２’内に入れ、押縁材２１を取付ける作業が必要で、組み立てが面倒であるという問題がある。
【０００５】
なお、飾り棚ではないが、例えばアルミサッシ枠にガラスを嵌め殺しで取付けて構成した外壁に取付けられる嵌め殺し窓が特許文献１等により知られているが、このアルミサッシ枠にガラスを嵌め殺しで取付けた嵌め殺し窓は、アルミニサッシ枠内にガラスを嵌め込み、アルミサッシ枠に対して着脱自在に取付けたアルミニウム製の上下左右の押縁でガラスの外周の室内側の面を押えることで取付けるようになっている。
【０００６】
しかしながら、特許文献１に示すようなアルミサッシ枠にガラスを嵌め殺しで取付けた嵌め殺し窓は、外壁に取付けられるもので、図８や図９のように間仕切り壁１５の孔１６に嵌め込んで取付けることで飾り棚を構成するものではない。
【特許文献１】特開２００４−２８５５９７号
【発明の開示】
【発明が解決しようとする課題】
【０００７】
本発明は上記の従来の問題点に鑑みて発明したものであって、プチ嵌め殺し窓としての機能を備えた飾り棚における背板のメンテナンスや交換に当たって簡単に背板の取外し、再取付けができると共に、背板の取外し、再取付けができるにもかかわらず、飾り棚としての外観を損なわず、また、背板ががたつかないように取付けができ、更に、組み立ても容易にできる飾り棚を提供することを課題とするものである。
【課題を解決するための手段】
【０００８】
上記課題を解決するために本発明に係る飾り棚は、板材１を角筒状に枠組みして構成した枠体２の内周面に段落部３を形成すると共に段落部３の後端を枠体２の後端まで至らせ、枠体２内に配置した透光性を有する背板４の前面端部を段落部３の段差面５に当接し、段落部３に段落部３の段落深さとほぼ同じ厚みの押え板６を着脱自在に取着し、押え板６の後端を枠体２の後端に位置させると共に押え板６の前端を背板４の後面に当接して成ることを特徴とするものである。
【０００９】
このような構成とすることで、透光性を有するプチ嵌め殺し窓としての機能を備えた飾り棚１１とすることができる。しかも、背板４の前面端部を段落部３の段差面５に当接し、段落部３に段落部３の段落深さとほぼ同じ厚みの押え板６を着脱自在に取着し、押え板６の後端を枠体２の後端に位置させると共に押え板６の前端を背板４の後面に当接してあることで、室内から見た場合、背板４と枠体２の内面とのなすコーナ部分に段差が生じなくて飾り棚１１としての外観を損なわない。また、透光性の背板４のメンテナンスや交換に当たっては、押え板６を取外すことで簡単に背板４のメンテナンスや交換ができる。
【００１０】
また、背板４の前面端部及び後面端部をそれぞれ背板４の最端部程厚みが薄くなるようにそれぞれ傾斜面７ａ、７ｂとし、段落部３の段差面５及び押え板６の他端部をそれぞれ上記背板４の前面端部及び後面端部の傾斜面７ａ、７ｂに対応した傾斜面８ａ、８ｂとすることが好ましい。
【００１１】
このような構成とすることで、傾斜面７ａ、７ｂと傾斜面８ａ、８ｂとが当接して背板４ががたつかないように取付けることができる。
【００１２】
また、長方形状をした板材１の内面に板材１の長辺に沿って段落部３を形成すると共に該板材１の内面に板材１の短辺と平行にＶカット溝部９を３列設け、板材１を各Ｖカット溝部９を介して９０°折り曲げて角筒状に枠組みして枠体２が形成してあることが好ましい。
【００１３】
このような構成とすることで、板材１を各Ｖカット溝部９を介して９０°折り曲げて角筒状に枠組みすることで簡単に枠体２を組み立てることができる。
【発明の効果】
【００１４】
本発明は、間仕切り壁の孔に嵌め込んで取付けることでプチ嵌め殺し窓としての機能を備えた飾り棚を構成でき、しかも、飾り棚における透光性を有する背板のメンテナンスや交換に当たって簡単に背板の取外し、再取付けができると共に、背板の取外し、再取付けができるにもかかわらず、枠体内面と背板とのなすコーナ部分に段差ができず、飾り棚としての外観を損なわない。
【発明を実施するための最良の形態】
【００１５】
以下、本発明を添付図面に示す実施形態に基いて説明する。
【００１６】
枠体２は板材１を角筒状に枠組みして構成してある。ここで、使用する板材１は長方形状をしており、ＭＤＦのような板主体１ａの内面に表面化粧シート１ｂを取着するとともに表面化粧シート１ｂの端部を板主体１ａの外面側に巻き込んで取着してある。上記、長方形状をした板材１の内面の後端部に図６のように長辺に沿って段落部３を形成し、更に、板材１の内面に板材１の短辺と平行にＶカット溝部９を３列設けてＶカット溝部９を介して４つの板部１２が連続した構造とする。本実施形態では長手方向の両端部に短辺と平行に４５°カットした端部カット部１０を設けてある。このように段落部３、Ｖカット溝部９を３列設けると共に両端部に端部カット部１０を設けた板材１を、各Ｖカット溝部９を介して９０°折り曲げると共に両端部の端部カット部１０同士を突き合わせて角筒状に枠組みして４つの板部１２で４面が構成された枠体２を形成する。
【００１７】
背板４は透明又は半透明のガラス、アクリルのようなプラスチックス製で透光性を有したものである。
【００１８】
押え板６は段落部３の段落深さとほぼ同じ厚みとなっており、ＭＤＦのような押え板主体６ａの外面に表面化粧シート６ｂを取着すると共に表面化粧シート６ｂの端部を押え板主体６ａの外面側に巻き込んで取着してある。
【００１９】
上記構成の枠体２内に透光性を有する背板４を配置して背板４の前面端部を段落部３の前端の縦面である段差面５に当接し、段落部３に押え板６を着脱自在に取着し、押え板６の後端を枠体２の後端に位置させると共に押え板６の前端を背板４の後面に当接することで、背板４の端部の前後両面の端部がそれぞれ段差面５と押え板６とで前後から挟持される。
【００２０】
上記のようにして図１乃至図３に示すような飾り棚１１が構成されるのであるが、ここで、飾り棚１１の組み立てに当たっては、例えば、下記のようにする。
【００２１】
すなわち、各Ｖカット溝部９を介して板材１を９０°折り曲げるに当たって、背板４の４の４辺の端部のうち一辺の側端部を図７（ａ）のようにＶカット溝部９で４つに分割された段落部３のうち１つの段落部３に嵌め込んで背板４の前面の一辺側の端部を当該段落部３の段差面５に当接した状態で、図６（ｂ）のように各Ｖカット溝部９を介して９０°折り曲げることで、背板４の他の辺側の端部がそれぞれ他の段落部３に嵌め込まれると共に背板４の前面の他の辺側の端部が当該他の段落部３の段差面５に当接することで、背板４の４辺で内側から支持した状態で板材１を折り曲げて角筒形状をした枠体２を枠組みすることができる。Ｖカット溝部９、端部カット部１０には接着剤を塗布して接着剤が硬化することで、角筒形状の枠体２を枠組みする。もちろん、固着具により端部カット部１０の突き合わせ部分を固着してもよい。このように角筒状に枠組みして内部に背板４を嵌め込んだ枠体２を枠組みした後、段落部３に押え板６を両面粘着テープなどを用いて着脱自在に取付けて押え板６の前端を背板４の後面に当接することで、飾り棚１１の組み立てを行う。
【００２２】
また、飾り棚１１の組み立ての他の例としては、板材１を、各Ｖカット溝部９を介して９０°折り曲げると共に両端部の端部カット部１０同士を突き合わせて角筒状に枠組みして枠体２を形成し、その後、各筒状の枠体２の後方開口から背板４を嵌め込んで背板４の４辺の端部を各段落部３に嵌め込むと共に、背板４の前面の４辺の端部を段落部３の段差面５に当接し、次に、段落部３に押え板６を両面粘着テープなどを用いて着脱自在に取付けて押え板６の前端を背板４の後面に当接することで、飾り棚１１の組み立てを行う。
【００２３】
上記組み立てを示すいずれの実施例においても、板材１を各Ｖカット溝部９を介して９０°折り曲げて角筒状に枠組みすることで簡単に枠体２を組み立てることができる。
【００２４】
ここで、図４に示すように背板４の前面端部及び後面端部をそれぞれ背板４の最端部程厚みが薄くなるようにそれぞれ傾斜面７ａ、７ｂとし、段落部３の段差面５及び押え板６の他端部をそれぞれ上記背板４の前面端部及び後面端部の傾斜面７ａ、７ｂに対応した傾斜面８ａ、８ｂとなっている。したがって、背板４が角筒形状をした枠体２の内部の後部における段落部３部分における内周の大きさよりも若干小さい外形をしていても、傾斜面７ａ、７ｂと傾斜面８ａ、８ｂとが当接して前後から挟持する構造となるので、背板４ががたつかないように取付けることができる。
【００２５】
上記の構造の飾り棚１１は、部屋と部屋、あるいは部屋と廊下などの別の空間とを間仕切りするための間仕切り壁１５に設けた孔１６に図５に示すように嵌挿して取付けるもので、室内から見た場合、飾り棚１１の奥の背板４と角筒状をした枠体２の内面とのなすコーナ部分に従来のように段差が生じないので、飾り棚１１としての外観を損なわない。また、飾り棚１１の奥の背板４が透光性を有しているので、室内に飾り棚１１の背板４を介して隣の部屋や廊下から光が差し込むものであって、本発明の飾り棚１１はプチ嵌め殺し窓としての機能を備えることになる。このように間仕切り壁１５に嵌挿して取付けた飾り棚１１内には装飾品などを載置することができる。
【００２６】
ここで、飾り棚１１の背板４を介して隣の部屋や廊下から光が差し込む際、押え板６の厚みが段落部３の段落深さとほぼ同じであるため、枠体２の内面は押え板６の内面と背板４を介して段差なく連続する状態となり、したがって、押え板６が枠体２内面より突出して段差となってこの段差部分が透光性を有する背板４を通して陰となって見えるというような不自然な感じがなくなり、プチ嵌め殺し窓としての機能及び外観を損なうことがない。
【００２７】
透光性を有する背板４のメンテナンスや交換に当たっては、押え板６を外し、その後に背板４を取り外し、メンテナンスや新たらしいのと交換し、再び背板４を枠体２内に嵌め込むと共に押え板６を取付ける。
【図面の簡単な説明】
【００２８】
【図１】本発明の断面図である。
【図２】同上の正面図である。
【図３】同上の背面図である。
【図４】（ａ）は同上の要部を拡大した断面図であり、（ｂ）は更に拡大した断面図である。
【図５】同上の間仕切り壁への取付け状態を示す断面図である。
【図６】同上の角筒状に枠組みする前の板材を示し、（ａ）は平面図であり、（ｂ）は断面図である。
【図７】（ａ）（ｂ）は同上の枠体の組み立て順序を示す説明図である。
【図８】従来例を示す断面図である。
【図９】他の従来例を示す断面図である。
【符号の説明】
【００２９】
１  板材
２  枠体
３  段落部
４  背板
５  段差面
６  押え板
７ａ  傾斜面
７ｂ  傾斜面
８ａ  傾斜面
８ｂ  傾斜面
９  Ｖカット溝部
【図１】
2007089696.tif 000003
【図２】
2007089696.tif 000004
【図３】
2007089696.tif 000005
【図４】
2007089696.tif 000006
【図５】
2007089696.tif 000007
【図６】
2007089696.tif 000008
【図７】
2007089696.tif 000009
【図８】
2007089696.tif 000010
【図９】
2007089696.tif 000011